(57)【特許請求の範囲】
【請求項１】
開口に向けて突出すべく連結部を介して底壁に折り取り可能に一体に設けられ、折り取りられた状態で舌状に形成された他の配線ボックスへの取付部を下端部に有する被探知部を備えた一の配線ボックスと、
折り取られた前記被探知部を前記取付部を介して着脱自在に取付可能な被取付部を底壁に備えた他の配線ボックスとを具備してなり、
壁裏に設置された前記一の配線ボックスの被探知部を壁表側から折り取り回収し、当該折り取り回収された被探知部を前記他の配線ボックスの被取付部に取り付けて再利用可能とすることを特徴とする配線ボックス装置。
【発明の詳細な説明】
【０００１】
【発明の属する技術分野】
本発明は配線ボックス装置に関するものであり、より詳しくは、開口に向けて突出すべく一つの配線ボックスに折り取り可能に一体に形成されかつ折り取られた状態で他の配線ボックスに取り付け可能で繰り返し使用できる被探知部が具備されているところに特徴を有する配線ボックス装置の提供に関するものである。
【０００２】
【従来の技術】
従来、かかる繰り返し利用可能な被探知部を、一つの配線ボックスに一体形成しておいて、これを他の配線ボックスにて利用するようにした配線ボックス装置はない。
【０００３】
【発明が解決しようとする課題】
従来、壁裏に配置された配線ボックスの前面の略全体を壁表に臨ませるためには、配線ボックス内に設けられた金属（被探知部）を壁表から金属探知機で探知して、又は配線ボックス内に設けられた磁石（被探知部）を壁表から磁気探知機で探知して、壁裏に配置された配線ボックスの外形を抽出しついでこの外形に沿ってノコギリやカッターを使用して壁材を切断することにより該配線ボックスの前面の略全体を壁表に臨ませていた。
あるいは、配線ボックス内に壁表から探知可能に設けられた被探知部の探知位置を穿孔中心として壁材に対して透孔を穿設することにより該配線ボックスの前面の略全体を壁表に臨ませていた。そして、この被探知部は配線ボックスの前面の略全体を壁表に臨ませた後に配線ボックスから取り除かれ、ゴミとして破棄されていた。
すなわち、上述した従来の配線ボックスにあっては、被探知部自体が、埋め殺しに設けられているとか、配線ボックスから取り除かれた後にゴミとして破棄されているとかのため、まことに不経済であるという問題があった。
【０００４】
一方、特公平４−１１４４号公報には、配線ボックスに着脱自在に装着可能ならしめる取付部を有する別体の被探知具が開示されている。かかる別体の被探知具は繰り返し利用可能であるから破棄されてゴミとなることは少ないものの、配線ボックスと被探知具をそれぞれ作製するから工程の増加によってコスト高となるという問題があり、被探知具の保管・管理が面倒であるとともに、配線ボックスに被探知具を取り付け忘れたまま配置され、壁表から探知不能となる懸念がある等の問題が顕在化していた。
【０００５】
本発明は上述した事情に鑑みなされたものであって、その目的とするところは、開口に向けて突出すべくボックスに折り取り可能に一体に形成されかつ折り取られた状態で他の配線ボックスに取り付け可能で繰り返し使用できる被探知部が具備されているところに特徴を有する配線ボックス装置を案出し提供することである。
【０００６】
【課題を解決するための手段】
本発明の配線ボックス装置は、後述する実施の形態の説明中において使用する符号を付して説明すると、開口に向けて突出すべく連結部３を介して底壁に折り取り可能に一体に設けられ、折り取りられた状態で舌状に形成された他の配線ボックス１１´への取付部１ａを下端部に有する被探知部１を備えた一の配線ボックス１１と、折り取られた被探知部１を取付部１ａを介して着脱自在に取付可能な被取付部４を底壁に備えた他の配線ボックス１１´とを具備してなり、壁裏に設置された一の配線ボックス１１の被探知部１を壁表側から折り取り回収し、当該折り取り回収された被探知部１を他の配線ボックス１１´の被取付部４に取り付けて再利用可能とするものである。
また、本発明の配線ボックス装置は、その被探知部１が、一の配線ボックス１１の底壁に一体に設けられ、被取付部４が、他の配線ボックス１１´の底壁に設けられたものである。
本発明の配線ボックス装置によると、壁裏に配置された当該配線ボックスの前面の略全体を壁表に臨ませるために壁材に対して穿孔せしめる透孔の穿孔中心の位置を提供することができる。
【０００７】
また、配線ボックスの前面の略全体を壁表に臨ませた後には当該被探知部を折り取り回収でき、そして、配線ボックスから折り取り回収されたこの被探知部は、該被探知部に設けられた取付部を取着可能ならしめる被取付部を有する他の配線ボックスに取着できる。
すなわち、被探知部は他の配線ボックスの全面の略全体を壁表に臨ませることを目的にして繰り返して使用できる。
【０００８】
【発明の実施の形態】
以下本発明を図面に基いて詳細に説明する。
図１は本発明に係る一つの配線ボックス１１の一実施例を示す平面図であり、図２は図１のＡ−Ａ断面を示す断面図であり、図３は図１のＢ−Ｂ断面を示す断面図であり、図４は配線ボックス１１から除去した被探知部１の斜視図であり、図５は、配線ボックス１１より除去された被探知部１を異なる他の配線ボックス１１’に装着した状態を示す縦断面図である。
【０００９】
図において、この実施例の配線ボックス１１は、配線ボックス１１の偏心位置にこの配線ボックス１１とは異なる他の配線ボックス１１’の被取付部４に着脱自在に装着可能ならしめる取付部１ａを有する被探知部１が、配線ボックス１１の底壁から開口に向けて臨ませ薄肉状の連結部３を介して一体に形成されており、配線器具等を収容する図示しない配線器具取付枠を取り付けするための１対のボス体２が周壁の相対向する位置に近接して突設されている。
【００１０】
前記被探知部１は、配線ボックス１１の底壁に折り取り可能に突設された筒状体１ｂの天端に金属箔が接着された構成からなり、該筒状体１ｂの下端の相対向する外面に舌状の取付部１ａが形成され、かつ該舌状の取付部１ａと直交する筒状体１ｂの下端外面は、当該配線ボックス１１の底壁に設けた円孔の周縁に連結部３を介して分離可能に一体に連結されている。
【００１１】
なお、被探知部１の筒状体１ｂの天端には壁表から探知可能な部材が備えられていればよく、かかる探知可能な部材としては、上述した金属箔の他、金属リングや磁石などを例示できる。すなわち、この被探知部は、壁表から自身の存在位置を探知可能とする機能と、透孔の中心位置を固定可能とする位置決めとしての機能とを兼ね備えているものである。
【００１２】
したがって、図６乃至図８に示すように、被探知部１の存在位置は探知具５により壁表から探知でき（壁裏に配置された配線ボックス１１の存在位置を簡単に探知でき）、被探知部１の探知位置を穿孔中心とする透孔６ａを壁材に対して穿孔でき、ついで穿孔される透孔の穿孔中心を壁表に位置決めした後に壁材に対して透孔６ｂを穿孔すれば、壁裏に配置された配線ボックス１１の前面の全面を透孔６ａ及び透孔６ｂを介して壁表に臨ませることができる。と同時に、透孔６ａ、６ｂを介して被探知部１を壁表に露出させ当該被探知部１を取付部１ａを有するままの状態で配線ボックス１１の底壁から簡単に折り取ることができる。
【００１３】
そして、折り取り回収された被探知部１は、前記配線ボックス１１とは異なる他の配線ボックス１１’に形成された被取付部４に前記取付部１ａを介して着脱自在に取着でき、壁裏に配置されたこの他の配線ボックス１１’の前面を壁表に臨ませるために穿設される透孔の穿孔中心位置を決定するための被探知具として繰り返し使用できる。
【００１４】
（削除）
【００１５】
図９に示した被探知部８は、筒状体８ｂの下端に押圧によってはめ込む係止部８ａを設けたものである。
【００１６】
ところで、本発明を実施する場合において、例えば被探知部の配置位置や、取付位置、全体の外観形状などを限定するものではなく、本発明の要旨を変更しない範囲内で適宜設計変更可能であり、例えば、前記被探知部が取り除かれ配線ボックスの底壁に形成される孔を、いわゆるノック孔として使用するように構成された配線ボックスであってもよい。
【００１７】
要するところ、本発明の配線ボックスは、壁表から自身の存在位置を探知可能とする機能を提供する、或いは透孔の中心位置を固定する位置決めとしての機能を提供することができるとともに、例えば透孔を介して壁表に臨み、配線ボックスから取付部を有するままの状態で取り出し可能な被探知部が一体に形成されているものであって、かつ、配線ボックスから除去後の被探知部は、前記配線用ボックスとは異なる他の配線ボックスに設けられた被取付部に取付部を介して取着され当該他の配線ボックスにおいていわゆる被探知具としての機能するものを指し示しているのである。
【００１８】
そして、本発明の配線ボックスは、配線ボックスから除去された後に他の配線ボックスに取着せしめる「被探知具」として再利用できる被探知部が、配線ボックス本体に一体形成されている点において、上述した従来の配線ボックスとは異なる。特に、特公平４−１１４４号公報に記載の被探知具のように、該被探知具を配線ボックスと別体に作製する工程がないから、製造コストの低減が図れ、かかる別体の被探知具のような面倒な保管・管理が不要となり、配線ボックスに被探知具を取り付け忘れたまま配置されることもない。また、除去後の被探知部が破棄されゴミとなることもないから、まことに経済的で無駄なく活用できるという格別顕著な作用効果を奏するのである。
【００１９】
【発明の効果】
以上述べたように、本発明の配線ボックス装置は、開口に向けて突出すべくボックスに折り取り可能に一体に設けられるとともに、折り取られた状態で舌状に形成された他の配線ボックスに取付可能な取付部を下端部に有する被探知部を備えたものである。したがって、壁裏に配置された配線ボックスの存在する位置を壁表から探知でき、壁材に対して透孔を穿孔でき、この透孔を介して被探知部を壁表に露出させることができるため被探知部を取付部を有するままの状態で配線ボックスの底壁から簡単に取り除くことができ、ついで、前記配線ボックスと異なる配線ボックスの底壁に形成された被取付部に前記取付部を介して着脱自在に取着できる。すなわち、除去後の被探知部が破棄されゴミとなることもないから、まことに経済的で無駄なく活用できるという格別顕著な作用効果を奏する。
【００２０】
特には、特公平４−１１４４号公報に記載の被探知具のように、該被探知具を配線ボックスと別体に作製する工程がないから、製造コストの低減が図れ、かかる別体の被探知具のような面倒な保管・管理が不要となる。
【図面の簡単な説明】
【図１】本発明の一実施例の配線ボックスを示す平面図である。
【図２】図１のＡ−Ａ断面を示す縦断面図である。
【図３】図１のＢ−Ｂ断面を示す縦断面図である。
【図４】図１の配線ボックスに設けられ該配線ボックスから除去された被探知部のみを示す斜視図である。
【図５】図１の配線ボックスより除去された被探知部を他の配線ボックスに取着した状態を示す要部縦断面図である。
【図６】壁体における、配線ボックスの被探知部と対応する部分を、壁表から探知具によって探知している状態を示す縦断面図である。
【図７】壁裏に配置された配線ボックスの一側の略全体を壁表に臨ませるべく壁材に対して最初の透孔を穿設した状態を示す縦断面図である。
【図８】壁裏に配置された配線ボックスの一側の略全体を壁表に臨ませるべく壁材に対して複数の透孔を穿設した後、被探知部を折取っている状態を示す縦断面図である。
【図９】他の実施例の配線ボックスから取り除かれた被探知部を、他の配線ボックスに取着した状態を示す要部縦断面図である。
【符号の説明】
１…被探知部
１ａ…取付部
１ｂ…筒状体
２…ボス体
３…連結部
４…被取付部
５…探知具
６…透孔
６ａ…透孔Ａ
６ｂ…透孔Ｂ
８…被探知部
８ａ…係止部
８ｂ…筒状体
８´…他の配線ボックス
１１…実施例の配線ボックス
１１’…他の配線ボックス
【図１】
0003550883.tif 000002
【図２】
0003550883.tif 000003
【図３】
0003550883.tif 000004
【図４】
0003550883.tif 000005
【図５】
0003550883.tif 000006
【図６】
0003550883.tif 000007
【図７】
0003550883.tif 000008
【図８】
0003550883.tif 000009
【図９】
0003550883.tif 000010